(57)【要約】      （修正有）【課題】ストラップやキーホルダーなどのアクセサリーになり、食事中だけでなく思い出を持ち帰り、使用することができるフードピックを提供する。【解決手段】持ち手部１にストラップやキーホルダーなどのアクセサリーパーツを付け外しできる、用途変更用の穴２を設ける。フードピックを用いて食事を行った後、突き刺し部３を切断部４の位置で切断することで用途変更後も安全に使用する事ができる。【選択図】図１
0003192953.tif 000002
【実用新案登録請求の範囲】
【請求項１】
フードピックの持ち手部の外周に食物保持用の突き刺し部を有したフードピックであって、前記持ち手部には用途変更用穴が開いており、フードピックとして使用した後は、前記突き刺し部を切断し、前記用途変更用穴を使用してアクセサリーパーツを取り付けることで、アクセサリーに用途変更できる特徴をもったフードピック。
【請求項２】
前記用途変更用穴を使用して、前記持ち手部との付け外しが可能なアクセサリーパーツが付属した請求項１記載のフードピック。
【請求項３】
前記アクセサリーパーツは、イアホンジャック挿入ストラップパーツ、ストラップループパーツ、キーホルダーパーツ、ワイヤーキーホルダーである請求項１または請求項２記載のフードピック。
【請求項４】
前記突き刺し部と前記持ち手部の境界に位置する切断部に切断しやすいように設けられた溝または段差構造を有する請求項１〜３のいずれか１項に記載のフードピック。
【請求項５】
前記持ち手部に設けられた、前記用途変更用穴を前記持ち手部外周の近傍に配置することで、アクセサリーパーツの取り付けに適した形状にした請求項１〜４のいずれか１項に記載のフードピック。
【考案の詳細な説明】
【技術分野】
【０００１】
本考案は、菓子、果物、おかず等の食物を突き刺して食べるためのフードピックに関し、フードピックとして使用後、突き刺し部を切断し、持ち手部の用途変更用穴を使用することで様々な対象物に取り付けできる、アクセサリーに用途変更可能なフードピックに関する。
【背景技術】
【０００２】
食事を楽しめ、美しく美味しそうに見える食器を用意したり、植物やさまざまな飾りを食物の周りに配置することはこれまで一般に広く行われ、これによって、食欲を視覚的に惹き起こしたり、増進したりすることが行なわれている。
このような情況下において、近時、動物を模した愛らしいフードピックが提案されている（例えば、特許文献１参照）。
【先行技術文献】
【特許文献】
【０００３】
【特許文献１】実用新案登録第３１８８６１３号公報
【考案の概要】
【考案が解決しようとする課題】
【０００４】
特許文献１で提案されている食事用ピックは使用用途が食事用に限定されている為、フードピックとしての用途以外で機能させることを目的としていない。
【０００５】
これまで結婚式やパーティー、ディナーショーなどの思い出に残る特別な食事の思い出を持ち帰れるアイテムとして、木製酒器や食事を飾る花などがありますが、持ち運びに気を使い、持ち帰った後気軽に使用できるものはありませんでした。本考案はフードピックを食事中に使用し、その場で用途変更してストラップやキーホルダーなどのアクセサリーとすることで食事中だけでなく、思い出を持ち帰って使用することを目的とする。
【課題を解決するための手段】
【０００６】
本考案のフードピックは、用途変更用穴を備え、差し込み部を切断できるフードピックであって、前記ピックの用途変更用穴を使用してストラップやキーホルダーなどのアクセサリーに用途変更できることを特徴とするフードピックである。これによりフードピックだけの用途に限らず様々な対象物に取り付けられる構造を持った形状となる。
【０００７】
本考案の他の特徴は、請求項２記載の持ち手部にある用途変更用穴を使用して付け外しができるアクセサリーパーツが付属しており、突き刺し部を切断した後は、携帯電話やスマートフォン、携帯ゲーム機、鍵や鞄などの身近なアイテムに取り付ける事で幅広い用途に使用できるアクセサリーとなる。
【０００８】
本考案の他の特徴は、請求項４記載の突き刺し部と持ち手部の境界に溝、または段差構造をもたせることで、切断しやすくなるだけでなく切断部の形状が崩れにくく安全に使用する事ができる特徴をもつところにある。
【考案の効果】
【０００９】
本考案のフードピックは、食事に使用するだけでなく、食後はアクセサリーに用途変更することで思い出を形にして持ち帰ることができ、喜びの余韻を長く感じることができる。
【図面の簡単な説明】
【００１０】
【図１】本考案のフードピックの実施例１を示す図である。
【図２】本考案のフードピックの一例を示す図で、（ａ）は持ち手部と突き刺し部が切断された図、（ｂ）は本考案フードピックから用途変更され、アクセサリーとなった図である。
【図３】本考案のフードピックの実施例２を示す図である。
【図４】本考案のフードピックの実施例３を示す図である。
【図５】本考案のフードピックの実施例４を示す図である。
【図６】本考案のフードピックの実施例５を示す図である。
【図７】本考案のフードピックの実施例６を示す図である。
【考案を実施するための形態】
【００１１】
以下図１〜図７を参照して本考案のフードピックの特徴を説明する。
本考案のフードピックの特徴は、食品を保持し、装飾性があるフードピックとして使用した後、食品保持部分の突き刺し部３と持ち手部１の境界に位置する切断部４の位置で切断し、持ち手部１の用途変更用穴２を使用してストラップやキーホルダーなどの図２（ｂ）のアクセサリー１１へと用途変更できることにある。
【００１２】
本考案における持ち手部１の形状や意匠は特に制限されず、用途変更用穴２が最低1か所持ち手部１に存在する事が本考案の特徴の一つとなっている。
【００１３】
また、持ち手部１と突き刺し部３を切断することで図２（ａ）に示す状態となり、用途変更後も安全にストラップやキーホルダーとして使用できる図２（ｂ）に示すアクセサリー１１として使用する事が可能となる。
【００１４】
切断する際、図７に示す溝９、もしくは段差構造１０を切断部４の周辺に最低1か所持たせることで、スムーズに切断することができる。これにより切断後の切断部分４の形状が崩れるのを抑え、安全に使用する事ができることが本案件の特徴の一つとなっている。
【００１５】
持ち手部１から突き刺し部３を切断する際には両手の指を使い、切断部４の位置を持ち、軽く押さえて曲げることで切断することができる。図２（ａ）に示すように、切断した後の突き刺し部３は用途変更後不要となる。
【００１６】
本考案のフードピックの素材は特に制限されず、プラスチック、木、竹、等安全な素材であればよいが、加工性（成形性）、着色性、コスト等の面でプラスチックが好ましい。プラスチックの種類は特に制限されないが、ポリエチレン、ポリプロピレン等のポリオレフィン樹脂、アクリル樹脂、ポリスチロール樹脂、ポリ塩化ビニル樹脂、ポリアミド樹脂、ポリエステル樹脂、ＡＢＳ樹脂、ＡＳ樹脂等が挙げられる。これらの中で、剛性があり、切断後の形状の崩れが少なく、切断時の加工性に優れるアクリル樹脂が好ましい。
【００１７】
図２（ａ）に示すように、突き刺し部３を切断した時点でフードピックとしての機能性が失われるが、図２（ｂ）の持ち手部１は形状を維持している為、ストラップやキーホルダーに用途変更後も安全に使用できるだけでなく、美観を損なうことがない。
【実施例】
【００１８】
以下、本考案を実施例に基づいて更に詳細に説明するが、本考案はこれらにより何ら制限されるものではない。
【００１９】
（実施例１）
図１に示すように、用途変更前の状態はフードピックであって、突き刺し部３の上方に持ち手部１があり、用途変更用穴２を構成したものである。用途変更用穴２は持ち手部１の外周の近傍である約1.5ｍｍ程度内側に約3ｍｍの穴を設けることで図３〜図６に示す各種アクセサリーパーツ５〜８を取り付けるのに適した状態となる。尚、素材としては、剛性があり、用途変更時に必要となる、切断性が良好なアクリル樹脂を使用した。
（実施例２）
実施例２は図３で示すように、用途変更用穴２にスマートフォンや携帯電話のイアホンジャック挿入ストラップパーツ５が付属されたものである。
イアホンジャック挿入ストラップパーツ５にはフードピックとして使用する事を考慮して、イアホンジャック挿入ストラップパーツ５と持ち手部１が容易いに取り外しできるようにカニカンやナスカンやクラスプが付属している。
（実施例３）
実施例３は図４で示すように、用途変更用穴２にスマートフォンや携帯電話に取り付けられるストラップループパーツ６が付属されたものである。
ストラップループパーツ６にはフードピックとして使用する事を考慮して、ストラップループパーツ６と持ち手部１が容易に取り外しできるようにカニカンやナスカンやクラスプが付属している。
（実施例４）
実施例４は図５で示すように、用途変更用穴２にキーホルダーパーツ７を付属したものである。キーホルダーパーツ７と持ち手部１が容易に取り外しできるようにカニカンやナスカンやクラスプが付属している。
（実施例５）
実施例５は図６で示すようにキーホルダーパーツ８はフードピックとして使用する事を考慮して、キーホルダーパーツ８と持ち手部１が容易に取り外しできるような構造をしている。
（実施例６）
実施例６は図７に示すように、持ち手部１から突き刺し部３を切断しやすいように切断部４に、溝９または段差構造１０を持たせることで安全に使用できるだけでなく、美観を損なうことがない。
【産業上の利用可能性】
【００２０】
本考案のフードピックは、用途変更後様々な用途に利用できる。ファスナーの持ち手部分として使用する。衣類のボタンとして使用するなど、様々なアクセサリーとして利用する事ができる。
【符号の説明】
【００２１】
１  持ち手部
２  用途変更用穴
３  突き刺し部
４  切断部
５  イアホンジャック挿入ストラップパーツ（アクセサリーパーツ）
６  ストラップループパーツ（アクセサリーパーツ）
７  キーホルダーパーツ（アクセサリーパーツ）
８  ワイヤーキーホルダー（アクセサリーパーツ）
９  溝
１０  段差構造
１１  アクセサリー
【図１】
0003192953.tif 000003
【図２】
0003192953.tif 000004
【図３】
0003192953.tif 000005
【図４】
0003192953.tif 000006
【図５】
0003192953.tif 000007
【図６】
0003192953.tif 000008
【図７】
0003192953.tif 000009